(57)【要約】      （修正有）【課題】同一の飾りのデザインを任意に創作したり変更したり、さらに飾り付け方を任意に変えたりするなど、バックの同一の飾りを任意に変化させて、趣向性の向上を図る飾り付きバックの提供。【解決手段】飾り３は分割されて複数の飾り部品３１により構成され、各飾り部品３１とバッグ２表面とを着脱可能に固定するための複数の固定手段４が各飾り部品３１に各別に、バッグ２表面に規則的に又は不規則的に点在して設けられる。飾り部品３１の全部又は一部を飾り部品側の固定手段４１を介して、バッグ２表面側の複数の固定手段４４のうち任意の固定手段４４に固定して、飾り３のデザインを任意に創作又は変更する。【選択図】図２
0003117701.tif 000002
【実用新案登録請求の範囲】
【請求項１】
バッグ表面に立体形状又は平面形状の飾りが付けられた飾り付きバッグにおいて、
前記飾りは分離又は分割可能に形成されて複数の飾り部品により構成され、
前記各飾り部品と前記バッグ表面とを着脱可能に固定するための複数の固定手段が前記各飾り部品に各別に、前記バッグ表面に規則的に又は不規則的に点在して設けられ、
前記飾り部品の全部又は一部を前記飾り部品側の固定手段を介して、前記バッグ表面側の複数の固定手段のうち任意の固定手段に固定して、前記飾りのデザインを任意に創作又は変更できるようにしたことを特徴とする飾り付きバッグ。
【請求項２】
飾り部品側の固定手段は、飾り部品と前記固定手段とを直接結合する形式と、飾り部品と前記固定手段とを他のつなぎ部材を介して結合する形式とを有する請求項１に記載の飾り付きバッグ。
【考案の詳細な説明】
【技術分野】
【０００１】
本考案は、バッグ表面に花や動物などの立体形状又は平面形状の飾りが付けられた飾り付きバッグに関する。
【背景技術】
【０００２】
従来から、例えばかごバッグ（かご型のバッグ）などのバッグには、表面に花などの飾りが付けられて、美観の向上が図られている。一般に、この種の飾りには造花や生花が用いられることが多く、これらの飾りがバッグの表面に止着されたり、交換可能に差し込まれたりして取り付けられる。この種のバッグは例えば、特許文献１に記載されている。
【特許文献１】特開平１０−１３７０６９号公報
【考案の開示】
【考案が解決しようとする課題】
【０００３】
しかしながら、従来、この種の飾り付きバッグで、飾りがバッグから取れないように止着されるものでは、バックに付けられた飾りのデザインを任意に変えることができないため、バッグに変化がない。また、飾りがバッグに交換可能に取り付けられるものでは、飾りを差し替えることで飾りそのものを変えてしまうので、例えばユーザが同一の飾りを気に入っている場合には、同じ飾りを付けている限り、飾りそのもののデザインはまったく変わることがなく、バックに変化がない。また、この場合、飾りそのものを変えても、飾りは一様に差し込まれるだけで飾りのつけ方に変化がないので、やはりバックに大きな変化は見られない。
【０００４】
本考案は、このような従来の問題を解決するもので、この種の飾り付きバックにおいて、同一の飾りでもデザインを任意に創作したり変更したり、さらに飾り付け方を任意に変えたりするなど、同一の飾りを任意に変化させて、趣向性の向上を図ること、を目的とする。
【課題を解決するための手段】
【０００５】
上記目的を達成するために、本考案の飾り付きバッグは、バッグ表面に立体形状又は平面形状の飾りが付けられた飾り付きバッグにおいて、前記飾りは分離又は分割可能に形成されて複数の飾り部品により構成され、前記各飾り部品と前記バッグ表面とを着脱可能に固定するための複数の固定手段が前記各飾り部品に各別に、前記バッグ表面に規則的に又は不規則的に点在して設けられ、前記飾り部品の全部又は一部を前記飾り部品側の固定手段を介して、前記バッグ表面側の複数の固定手段のうち任意の固定手段に固定して、前記飾りのデザインを任意に創作又は変更できるようにしたことを要旨とする。この場合、飾り部品側の固定手段は、飾り部品と前記固定手段とを直接結合する形式と、飾り部品と前記固定手段とを他のつなぎ部材を介して結合する形式とを有することが好ましい。
【考案の効果】
【０００６】
本考案の飾り付きバッグは、上記構成を有し、バッグに付けられた同一の飾りでもデザインを任意に創作したり変更したり、さらに飾り付け方を任意に変えたりするなど、同一の飾りを任意に変化させて、趣向性の向上を図ることができる。
【考案を実施するための最良の形態】
【０００７】
以下、本考案の一実施の形態について、図１乃至図３を用いて説明する。図１において、飾り付きバッグ１は、一対の提げ手２１を有するバッグ２と、バック２の表面に付けられた飾り３とを備える。
【０００８】
この場合、バッグ２は各種の植物素材又は合成樹脂材料により上面を開口されたかごバッグに編成され、開口両側縁部に同じ又は他の素材で形成された一対の提げ手２１が取り付けられる。なお、バッグ２の開口両側縁部の内側中央にそれぞれ、相互に吸着されるマグネット式の止め具２２が取り付けられて、この止め具２２の係脱によりバッグ２の開口が開閉可能になっている。
【０００９】
このバッグ２の広い一方の側面に飾り３が付けられる。飾り３は立体形状でもよく、平面形状であってもよい。この飾り３は分離又は分割可能に形成されて、複数の飾り部品３１により構成される。ここで飾り３は花束、飾り部品３１はその一つひとつの（単体の）花で、これらの花の飾り部品３１がそれぞれ立体形状に形成され、花束の飾り３全体が立体形状になっている。なお、花束の飾り３又は各花の飾り部品３１に、必要に応じて、葉、リボンやフリル、その他各種装飾品３２が付加されてもよく、また、これらのリボンやフリル、その他各種装飾品３２が独立の飾り部品３１として具備されてもよい。
【００１０】
各飾り部品３１をバッグ２の表面に着脱可能に固定するために、図２に示すように、複数の固定手段４が各飾り部品３１に各別に、バッグ２の表面に規則的に又は不規則的に点在して配設される。この固定手段４に、ホック、スナップボタン、マグネット、面ファスナなどの止め具を採用することができる。ホックの場合、飾り部品３１に雄ホック又は雌ホックのいずれか一方が取り付けられ、バッグ２の表面に他方が取り付けられる。スナップボタンの場合、飾り部品３１に雄型のスナップ又は雌型のスナップのいずれか一方が取り付けられ、バッグ２の表面に他方が取り付けられる。マグネットの場合、飾り部品３１にマグネット又は鉄片などの（磁性）金属片のいずれか一方が取り付けられ、バッグ２の表面に他方が取り付けられる。面ファスナの場合、飾り部品３１に雄側の面ファスナ又は雌側の面ファスナのいずれか一方が取り付けられ、バッグ２の表面に他方が取り付けられる。なお、固定手段４はこれらの止め具に限定されるものではなく、これらの止め具と同様に、飾り部品３１とバッグ２とを着脱可能に固定できる機能部品であればよい。また、飾り部品３１側に使用される一方の固定手段４１は、既述の止め具の一方を飾り部品３１に直接固着するなど、固定手段４１と飾り部品３１とを直接結合する形式と、既述の止め具の一方にリングやフックなどの係止手段４２を併設し、このリングやフックに飾り部品３１をリボンや紐、あるいは糸などの他の連結部材で結び付けるなど、固定手段４１と飾り部品３１とを他のつなぎ部材４３を介して連結する形式（図３参照）が用意され、各飾り部品３１に適宜、いずれかの形式の固定手段４１が取り付けられる。他方、バッグ２の表面に使用される他方の固定手段４４は、既述の止め具の他方がバッグ２の広い一方の側面に規則的に又は不規則的に並べて配設される。
【００１１】
このようにして飾り付きバッグ１が構成され、初期においては、飾り３は製造元のデザインにより、各飾り部品３１が（飾り部品側の固定手段４１を介して）バッグ２の表面の各固定手段４４に固定されて取り付けられる。そして、この飾り付きバッグ１では、ユーザ自身の手で、初期の飾り３を取り外し、デザインを自由に創作又は変更して、バッグ２の表面に付け直すことができる。この場合、図１に示すように、バッグ２の表面から全部の飾り部品３１を取り外し、これら取り外された飾り部品３１の全部又は一部を一つひとつ（飾り部品側の固定手段４１を介して）、ユーザ独自のデザインで、バッグ２の表面の各固定手段４４のうちの任意の固定手段４４に固定することにより、本来同一の飾り３でありながら、この飾り３を構成する全部又は一部の飾り部品３１で、新たな飾り３を創作することができる。また、図３に示すように、バッグ２の表面から一部の飾り部品３１を取り外し、これら取り外された飾り部品３１の全部又は一部を一つひとつ（飾り部品側の固定手段４１を介して）、ユーザ独自のデザインで、バッグ２の表面の各固定手段４４のうちの任意の固定手段４４に固定することにより、本来同一の飾りでありながら、この飾り３を構成する一部の飾り部品３１で、初期のデザインとは異なるデザインの飾り３に変更することができる。また、いずれの手法でも、飾り部品側の固定手段４１に、固定手段４１と飾り部品３１とを直接結合する形式を使用することで、飾り部品３１をバッグ２の表面にぐらつくことなく（動きを止めて）しっかりと固定することができ、飾り部品側の固定手段４１に、固定手段４１と飾り部品３１とを他のつなぎ部材４３（リボンや紐、あるいは糸など）を介して連結する形式を使用することで、飾り部品３１をバッグ２の表面にぶら下げて揺動させたり回したり、あるいは弾ませたりすることができるなど、動きの変化を作り出すことができる。なお、この飾り３の創作、変更は繰り返し行うことができる。
【００１２】
以上説明したように、この飾り付きバッグ１によれば、飾り３を構成する飾り部品３１の全部又は一部を飾り部品側の固定手段４１を介して、バッグ２の表面の複数の固定手段４４のうち任意の固定手段４４に固定することにより、バッグ２に付けられた同一の飾り３のデザインを任意に創作したり変更したり、さらに同じデザインでも異なるデザインでも飾り３の位置や向きなど飾り付け方を任意に変えたりすることができるなど、バック２に付けられた同一の飾り３を任意に変化させて、趣向性の向上を図ることができ、さらに、ユーザ独自のオリジナリティーを出すこともできる。
【００１３】
なお、上記実施の形態では、飾り３を花束、飾り部品３１をその一つひとつの花にして、花の飾り部品３１を分離しているが、飾り３を１つの花にしてもよく、この場合、飾り部品３１は花の飾り３が分割されて形成されることになる。また、飾り３は花に限定するものではなく、木や葉、また果物を含む各種植物、各種動物、童話や昔話の挿絵など、飾りになり得るものすべてを対象にすることができる。また、上記実施の形態では、バック３をかごバッグとして例示しているが、バックの種類に拘わらず、どのような形式のバッグにでも、飾り３を同様に取り付けて、同様の作用効果を奏することができることは勿論である。
【図面の簡単な説明】
【００１４】
【図１】本考案の一実施の形態における飾り付きバッグの斜視図
【図２】同飾り付きバッグの飾りの取付構造を示す斜視図
【図３】同飾り付きバッグの飾りの変更例を示す斜視図
【符号の説明】
【００１５】
１  飾り付きバッグ
２  バッグ
２１  提げ手
２２  止め具
３  飾り
３１  飾り部品
３２  装飾品
４  固定手段
４１  （飾り部品側の）一方の固定手段
４２  係止部材
４３  つなぎ部材
４４  （バッグ側の）他方の固定手段
【図１】
0003117701.tif 000003
【図２】
0003117701.tif 000004
【図３】
0003117701.tif 000005